(57)【特許請求の範囲】
【請求項１】
弾性体からなる脚部と細径部とが連接されると共に、上記脚部から上記細径部に亘って中央に透孔が設けられ、上記細径部側の透孔口に円錐凹部が形成されるダンパーと、
ネジ部と、該ネジ部側に上記円錐凹部に対応する円錐凸部及び該円錐凸部に連なる円板部を設けた頭部を有するボルトとを備え、
上記ダンパーの細径部が第１シャーシに設けられる挿通孔に挿通されると共に上記脚部に設けられる上記透孔に第２シャーシに設けられるボスが挿通され、
上記ボルトのネジ部が上記ボスの先端側に形成される取付孔に取り付けられ、
上記ボルトが締めつけられることにより、
上記ダンパーの上記細径部が押し広げられ上記ボルトの頭部の円板部と上記第1シャーシとの間で鍔部が形成されるようにした
ことを特徴とするシャーシ支特装置。
【請求項２】
第１シャーシを第２シャーシに弾性的に取り付けるための支持用ダンパーであって、
該支持用ダンパーが、弾性材を有する略円筒状の細径部と、該細径部に連接され弾性材を有する上記細径部より径が大きい脚部と、該脚部から上記細径部に亘って形成される透孔の上記細径部側の透孔口に設けられる円錐凹部とを備え、
ネジ部と、該ネジ部側に上記円錐凹部に対応する円錐凸部及び該円錐凸部に連なる円板部を設けた頭部とを有するボルトが、上記第１シャーシを上記第２シャーシに取り付けるために締め付けられることにより、
上記支持用ダンパーの上記細径部が押し広げられ、上記ボルトの頭部の円板部と上記第1シャーシとの間で鍔部が形成されるようにした
ことを特徴とする支持用ダンパー。
【請求項３】
外筐体と、
該外筐体内に設けられ機構部品を搭載するシャーシと、
弾性体からなる脚部と細径部とが連接されると共に、上記脚部から上記細径部に亘って中央に透孔が設けられ、上記細径部側の透孔口に円錐凹部が形成されるダンパーと、
ネジ部と、該ネジ部側に上記円錐凹部に対応する円錐凸部及び該円錐凸部に連なる円板部を設けた頭部を有するボルトとを備え、
上記ダンパーの上記細径部が上記シャーシに設けられる挿通孔に挿通されると共に、上記脚部に設けられ上記透孔に上記外筐体に設けられるボスが挿通され、上記ボルトのネジ部が上記ボスの先端側に形成される取付孔に取り付けられ、
上記ボルトが締めつけられることにより、上記ダンパーの上記細径部が押し広げられ、上記ボルトの頭部の円板部と上記シャーシとの間で鍔部を形成するようにした
ことを特徴とする電子機器。
【発明の詳細な説明】
【０００１】
【産業上の利用分野】
本発明は、シャーシをダンパーを用いて支持する装置と支持用のダンパー及びダンパーを用いた電子機器に関するものである。
【０００２】
【従来の技術】
従来からテープレコーダー、ディスク再生装置等の携帯用電子機器では、精密な機構部品を搭載したシャーシをダンパーを介して外部筐体に支持する構造が用いられている。例えば図３にその１例を示す。従来のこの装置では、ダンパー１０１はゴム等の弾性材から成り、円盤状の鍔部１０２と円筒状のネック部１０３と湾曲したＯ形の脚部１０４ａ、１０４ｂを連接し中央に透孔１０５からなる構造のものが用いられていた。
そしてこのダンパー１０１は第１のシャーシ１０６に設けた挿通孔１０７に鍔部１０２を押し込みネック部１０３を挿通孔１０７に嵌合させると共に、ボルト１０８のネジ部１０９をダンパーの透孔１０５に挿通し第２シャーシ１１０に設けたボス１１１にその先端をネジ止めして、第１シャーシと第２シャーシの間に脚部１０４ａ、１０４ｂを介在させ、第１シャーシを第２シャーシに弾性的に支持した装置となっている。
【０００３】
しかし、従来のこの装置では、第１シャーシに設けた挿通孔より径の大きいダンパーの鍔部を小径の挿通孔に押し込む作業が行なわれていたが、この作業は手作業によらざるを得ず、極めて作業能率が悪く多くの工数を要していた。
【０００４】また、このダンパーは鍔部と脚部の間にそれらより径の小さいネック部があるので成形のための金型構造が複雑となる欠点があった。
【０００５】
【発明が解決しようとする課題】
そこで本発明の課題はかかるシャーシ支持装置と支持用ダンパーの構造を改良し、組み立ての際の作業能率を向上し、自動組み立てにも適したシャーシの支持装置と成形用金型の構造が簡単で済む支持用ダンパーを提供することである。
【０００６】
【課題を解決するための手段】
かかる課題を解決するために本発明に係るシャーシ支持装置は、弾性体からなる脚部と細径部が連接されると共に、脚部から細径部に亘って中央に透孔が設けられ、細径部側の透孔口に円錐凹部が形成されるダンパーと、ネジ部と、このネジ部側に上記円錐凹部に対応する円錐凸部及びこの円錐凸部に連なる円板部を設けた頭部を有するボルトとを備え、ダンパーの細径部が第１シャーシに設けられる挿通孔に挿通されると共に脚部に設けられる透孔に第２シャーシに設けられるボスが挿通され、このボルトのネジ部がボスの先端側に形成される取付孔に取り付けられ、ボルトが締めつけられることにより、ダンパーの細径部が押し広げられ上記ボルトの頭部の円板部と第1シャーシとの間で鍔部が形成されるようにしたものである。
【０００７】
また、本発明に係る支持用ダンパーは、第１シャーシを第２シャーシに弾性的に取り付けるための支持用ダンパーであって、この支持用ダンパーが、弾性材を有する略円筒状の細径部と、この細径部に連接され弾性材を有するこの細径部より径が大きい脚部と、この脚部から細径部に亘って形成される透孔の細径部側の透孔口に設けられる円錐凹部とを備え、ネジ部と、このネジ部側に円錐凹部に対応する円錐凸部及びこの円錐凸部に連なる円板部を設けた頭部とを有するボルトが、第１シャーシを第２シャーシに取り付けるために締め付けられることにより、支持用ダンパーの細径部が押し広げられ、ボルトの頭部の円板部と第1シャーシとの間で鍔部が形成されるようにしたものである。
さらに、本発明に係る電子機器は、外筐体と、この外筐体内に設けられ機構部品を搭載するシャーシと、弾性体からなる脚部と細径部とが連接されると共に、脚部から細径部に亘って中央に透孔が設けられ、細径部側の透孔口に円錐凹部が形成されるダンパーと、ネジ部と、このネジ部側に円錐凹部に対応する円錐凸部及びこの円錐凸部に連なる円板部を設けた頭部を有するボルトとを備え、ダンパーの細径部がシャーシに設けられる挿通孔に挿通されると共に、脚部に設けられる透孔に外筐体に設けられるボスが挿通され、ボルトのネジ部がボスの先端側に形成される取付孔に取り付けられ、ボルトが締めつけられることにより、ダンパーの細径部が押し広げられ、ボルトの頭部の円板部とシャーシとの間で鍔部を形成するようにしたものである。
【０００８】
【作用】
本発明のシャーシ支持装置においては、弾性体からなるダンパーの細径部を第１のシャーシに設けた挿通孔の挿通し、ダンパーの透孔に第２のシャーシのボスを挿通し、ボルトのネジ部をボス部に取付けて、ネジ締めし、ボルト頭部の円錐凸部でダンパーの細径部を押し広げ、ボルトの頭部の円板部と第１のシャーシとの間で密着する鍔部を構成して取付けることができる。
【０００９】
また、本発明の支持用ダンパーにおいては、細径部は外形が略円筒状であるので、成形に際しその金型の構造も簡単で済む。
さらに、本発明の電子機器においては、第１のシャーシと第２のシャーシとが弾性材からなる鍔部で連結されるので、第１のシャーシを第２のシャーシから引き離す方向の衝撃を、この鍔部の弾性によって緩和（ダンパー作用）するようにできる。
【００１０】
【実施例】
以下、図１ないし図２を参照して本発明のシャーシ支持装置及び支持用ダンパーの構造及びダンパーを有する電子機器とその作用効果について詳細に説明する。
【００１１】
図１は本発明に係る支持用ダンパーとそれを用いたシャーシの支持装置の断面図であり、（ａ）はボルトを締める前の状態、（ｂ）はボルトを締めた後の状態を示す。
支持用ダンパー１は外形が円筒状の細径部２と、細径部２より径大の円筒状の脚部３と、細径部２の先端に設けた円錐開口４と、円錐開口４に連通した透孔５を細径部２と脚部３に設けた弾性材から構成されている。
このダンパー１を用いてシャーシ支持装置を構成している。すなわち、下端に円錐凸部６及びこの円錐凸部６に連なる円板部を有する頭部７とネジ部８を備えたボルト９を用意し、ダンパー１の細径部２を第１のシャーシ１０に設けた挿通孔１１に挿通し、脚部３に設けた透孔５に第２のシャーシ１２に設けたボス１３を挿通し、ボルト９のネジ部８をボス１３の先端に設けた取付孔１４に取付け、ボルト９を締めることによって、ボルト９の円錐凸部６がダンパー１の細径部２先端の円錐開口４を押し広げ、ボルト頭部７の円板部と第１のシャーシ１０の間でこれらに密着する鍔部１５を形成する。（図１（ｂ）参照）
【００１２】
押し広げられて形成された鍔部１５は、第１のシャーシ１０とボルト頭部７の円板部との間で密着して確実な抜け止めの作用と同時に、この鍔部１５の弾性が第１シャーシを第２シャーシから引き離す方向の衝撃に対するダンパー作用をなす。
ボルト９をボス１３に締めつけることによって、ダンパー１の脚部３が第１のシャーシ１０と第２のシャーシ１２の間で圧縮された状態で固定され、第１のシャーシ１０を第２のシャーシ１２に弾性的に取付けた状態が実現される。
【００１３】
このシャーシ支持装置は電子機器等に適用する場合は図２に示すように、１枚のシャーシに対し複数箇所用いるのが望ましい。
本実施例においては、ダンパー１の脚部３は円筒状としたが、円筒状に限らず多角柱でも良い。
また、ボス１３の取付孔１４は予めネジを切ったものでも良いし、セルフタップ用の単なる孔であっても良い。
ボルト９のネジ部８は通常のネジ山でもセルフタップ用のネジ山でもよい。
【００１４】
【発明の効果】
本発明の説明から明らかなように、本発明によるシャーシ支持装置はダンパーの細径部を第１シャーシの挿通孔に簡単に差し込むことができ、ボルトを第２シャーシに締めつけるだけで簡単に組み立て得るので作業が簡単になり、工数が著しく削減できると共に自動組み立てにも適している。
また、本発明の支持用ダンパーは従来のダンパーに存在したネック部がないので成形用の金型の構造が簡単となり、コストの低減が図れる。
さらに、本発明の電子機器は第１のシャーシと第２のシャーシとが弾性材からなる鍔部で連結されるので、第１のシャーシを第２のシャーシから引き離す方向の衝撃を、この鍔部の弾性によって緩和（ダンパー作用）するようにできる。
【図面の簡単な説明】
【図１】本発明の支持用ダンパーとそれを用いたシャーシ支持装置の断面図であり、（ａ）はボルトを締める前の状態、（ｂ）はボルトを締めた後の状態を示す。
【図２】本発明のシャーシ支持装置を適用した一例の電子機器の断面図。
【図３】従来のシャーシ支持装置と支持用ダンパーを示す断面図。
【符号の説明】
１      ダンパー
２      細径部
３      脚部
４      円錐開口
５      透孔
６      円錐凸部
７      頭部
８      ネジ孔
９      ボルト
１０      第１シャーシ
１１      挿通孔
１２      第２シャーシ
１３      ボス
１４      取付孔
１５      鍔部
１０１      ダンパー
１０２      鍔部
１０３      ネック部
１０４ａ、１０４ｂ  脚部
１０５      透孔
１０６      第１シャーシ
１０７      挿通孔
１０８      ボルト
１０９      ネジ部
１１０      第２シャーシ
１１１      ボス
【図１】
0003586920.tif 000002
【図２】
0003586920.tif 000003
【図３】
0003586920.tif 000004